(57)【要約】【課題】災害発生時に広範囲における正確な被害状況の収集を可能にする通信システムおよび端末装置を提供する。【解決手段】サーバーおよびそのサーバーと通信可能な複数の端末装置から少なくとも構成され、各端末装置は、サーバーと通信を行う端末側通信部と、災害発生の有無／災害状況を検出する端末側災害検出部と、各種処理を実行する端末側処理部とを備え、サーバーは、各端末装置と通信を行うサーバー側通信部と、各種処理を実行するサーバー側処理部とを備え、端末側処理部は、端末側災害検出部が災害発生を検出したときにサーバーに災害発生の通知をするように処理し、サーバー側処理部は、その通知をサーバーが受けたときに各端末装置に災害状況の送信を要求し、端末側処理部は、その要求に応答して、端末側災害検出部が検出した災害状況をサーバーに送信処理する。【選択図】図１
2015135554.tif 000002
【特許請求の範囲】
【請求項１】
サーバーおよびそのサーバーと通信可能な複数の端末装置から少なくとも構成され、
各端末装置は、前記サーバーと通信を行う端末側通信部と、災害発生の有無／災害状況を検出する端末側災害検出部と、各種処理を実行する端末側処理部とを備え、
前記サーバーは、各端末装置と通信を行うサーバー側通信部と、各種処理を実行するサーバー側処理部とを備え、
前記端末側処理部は、前記端末側災害検出部が災害発生を検出したときに前記サーバーに災害発生の通知をするように処理し、
前記サーバー側処理部は、前記通知を前記サーバーが受けたときに各端末装置に災害状況の送信を要求し、
前記端末側処理部は、その要求に応答して、前記端末側災害検出部が検出した災害状況を前記サーバーに送信処理する
ことを特徴とする通信システム。
【請求項２】
前記サーバーは、各端末装置の少なくとも設置情報を記憶する記憶部と、各端末装置から受信した災害状況を各端末装置の前記設置情報と関連付けて災害マップとして作成するマップ作成部とをさらに備える請求項１に記載の通信システム。
【請求項３】
前記端末側災害検出部は、端末装置の周囲温度を検出する温度センサー、端末装置の振動を検出する振動センサー、災害緊急放送を受信する放送受信部の少なくともいずれかを有する請求項１または２に記載の通信システム。
【請求項４】
端末装置の電源を遮断する電源遮断部をさらに備え、
前記端末側処理部は、前記温度センサーが予め定められた閾値を超えた周囲温度を検出したことにより災害発生を検出したときに、前記電源遮断部を用いてその端末装置の電源を遮断する請求項３に記載の通信システム。
【請求項５】
外部のサーバーと通信を行う端末側通信部と、災害発生の有無／災害状況を検出する端末側災害検出部と、各種処理を実行する端末側処理部とを備え、
前記端末側処理部は、前記端末側災害検出部が災害発生を検出したときに、前記サーバーに災害発生の通知をするように処理するとともに、
前記サーバーと通信可能な複数の端末装置の１つから災害発生の通知を受けた前記サーバーが各端末装置に災害状況の送信を要求したときに、その要求に応答して、前記端末側災害検出部が検出した災害状況を前記サーバーに送信処理する
ことを特徴とする端末装置。
【請求項６】
前記端末側災害検出部は、端末装置の周囲温度を検出する温度センサー、端末装置の振動を検出する振動センサー、災害緊急放送を受信する放送受信部の少なくともいずれかを有する請求項５に記載の端末装置。
【請求項７】
サーバーおよびそのサーバーと通信可能な複数の端末装置から少なくとも構成され、
前記サーバーは、各端末装置と通信を行うサーバー側通信部と、災害発生の有無／災害状況を検出するサーバー側災害検出部と、各種処理を実行するサーバー側処理部とを備え、
各端末装置は、前記サーバーと通信を行う端末側通信部と、災害発生の有無／災害状況を検出する端末側災害検出部と、各種処理を実行する端末側処理部とを備え、
前記サーバー側処理部は、前記サーバー側災害検出部が災害の発生を検出したときに各端末装置に災害状況の送信を要求し、
前記端末側処理部は、その要求に応答して、前記端末側災害検出部が検出した災害状況を前記サーバーに送信処理する
ことを特徴とする通信システム。
【請求項８】
前記サーバーは、各端末装置の少なくとも設置情報を記憶する記憶部と、各端末装置から受信した災害状況を各端末装置の前記設置情報と関連付けて災害マップとして作成するマップ作成部とをさらに備える請求項７に記載の通信システム。
【請求項９】
前記サーバー側災害検出部は、サーバーの周囲温度を検出する温度センサー、サーバーの振動を検出する振動センサー、災害緊急放送を受信する放送受信部の少なくともいずれかを有する請求項７または８に記載の通信システム。
【請求項１０】
サーバーおよびそのサーバーと通信可能な複数の端末装置から少なくとも構成され、
前記サーバーは、各端末装置と通信を行うサーバー側通信部と、災害発生の有無／災害状況を検出するサーバー側災害検出部と、各種処理を実行するサーバー側処理部とを備え、
各端末装置は、前記サーバーと通信を行う端末側通信部と、災害発生の有無／災害状況を検出する端末側災害検出部と、各種処理を実行する端末側処理部とを備え、
前記端末側処理部は、前記端末側災害検出部が災害発生を検出したときに前記サーバーに災害発生の通知をするように処理し、
前記サーバー側処理部は、前記通知を受けたとき、あるいは、前記サーバー側災害検出部が災害発生を検出したときに、各端末装置に災害状況の送信を要求し、
前記端末側処理部は、その要求に応答して、前記災害検出部が検出した災害状況を前記サーバーに送信処理する
ことを特徴とする通信システム。
【発明の詳細な説明】
【技術分野】
【０００１】
この発明は、通信システムおよび端末装置に関し、さらに詳しくは、地震や火災などの災害が発生したときにその被害状況に関する情報の収集に寄与することのできる通信システムおよび端末装置に関する。
【背景技術】
【０００２】
従来、ネットワークを介して外部の通信装置との間で情報の送受信を行う画像形成装置として、例えば特許文献１に記載されたものが知られている。
【先行技術文献】
【特許文献】
【０００３】
【特許文献１】特開２００８−２３６４８４号公報
【発明の概要】
【０００４】
特許文献１に記載された画像形成装置は、ネットワークを介して外部の通信装置との間で情報の送受信を行う通信部と、地震の発生を検知する地震計と、外部の温度を検知する温度計とを備えている。
【０００５】
そして、その通信部が、地震や火災などの災害発生時に、ネットワーク上の特定の通信装置へ、被害状況についての情報を入力するようユーザに促すメッセージを送信し、そのメッセージに対してユーザが入力した情報を上記特定の通信装置から受信するとともに、その情報をネットワーク上の他の通信装置へ送信するように構成されている。
【発明が解決しようとする課題】
【０００６】
しかしながら、このような画像形成装置では、災害発生時に地震計により所定値を超える大きい振動や温度計により所定値を超える高い温度を検出することができたとしても、その画像形成装置の周囲にユーザが居ない場合や、ユーザが居ても通信回線が切断されている場合には、上記特定の通信装置および上記他の通信装置に対して送信を行うことができないことから、正確な被害状況を確認することが難しかった。
【０００７】
この発明は、このような課題に鑑みてなされたものであり、ネットワークを介してサーバーに接続されている端末装置を利用することにより、災害発生時に広範囲における正確な被害状況の収集を可能にする通信システムおよび端末装置を提供することを目的としている。特に、現在、広範囲に分布するコンビニエンスストアに高確率で設置されている複合機あるいはＰＯＳ端末機を端末装置とすることに関して、この構成は有効である。ただし、この発明に係る端末装置はこれらに限定されるものではない。
【課題を解決するための手段】
【０００８】
この発明は、第１の観点によれば、
サーバーおよびそのサーバーと通信可能な複数の端末装置から少なくとも構成され、
各端末装置は、前記サーバーと通信を行う端末側通信部と、災害発生の有無／災害状況を検出する端末側災害検出部と、各種処理を実行する端末側処理部とを備え、
前記サーバーは、各端末装置と通信を行うサーバー側通信部と、各種処理を実行するサーバー側処理部とを備え、
前記端末側処理部は、前記端末側災害検出部が災害発生を検出したときに前記サーバーに災害発生の通知をするように処理し、
前記サーバー側処理部は、前記通知を前記サーバーが受けたときに各端末装置に災害状況の送信を要求し、
前記端末側処理部は、その要求に応答して、前記端末側災害検出部が検出した災害状況を前記サーバーに送信処理する
ことを特徴とする通信システムを提供する。
【０００９】
また、この発明は、第２の観点によれば、
外部のサーバーと通信を行う端末側通信部と、災害発生の有無／災害状況を検出する端末側災害検出部と、各種処理を実行する端末側処理部とを備え、
前記端末側処理部は、前記端末側災害検出部が災害発生を検出したときに、前記サーバーに災害発生の通知をするように処理するとともに、
前記サーバーと通信可能な複数の端末装置の１つから災害発生の通知を受けた前記サーバーが各端末装置に災害状況の送信を要求したときに、その要求に応答して、前記端末側災害検出部が検出した災害状況を前記サーバーに送信処理する
ことを特徴とする端末装置を提供する。
【００１０】
さらに、この発明は、第３の観点によれば、
サーバーおよびそのサーバーと通信可能な複数の端末装置から少なくとも構成され、
前記サーバーは、各端末装置と通信を行うサーバー側通信部と、災害発生の有無／災害状況を検出するサーバー側災害検出部と、各種処理を実行するサーバー側処理部とを備え、
各端末装置は、前記サーバーと通信を行う端末側通信部と、災害発生の有無／災害状況を検出する端末側災害検出部と、各種処理を実行する端末側処理部とを備え、
前記サーバー側処理部は、前記サーバー側災害検出部が災害の発生を検出したときに各端末装置に災害状況の送信を要求し、
前記端末側処理部は、その要求に応答して、前記端末側災害検出部が検出した災害状況を前記サーバーに送信処理する
ことを特徴とする通信システムを提供する。
【００１１】
さらに、この発明は、第４の観点によれば、
サーバーおよびそのサーバーと通信可能な複数の端末装置から少なくとも構成され、
前記サーバーは、各端末装置と通信を行うサーバー側通信部と、災害発生の有無／災害状況を検出するサーバー側災害検出部と、各種処理を実行するサーバー側処理部とを備え、
各端末装置は、前記サーバーと通信を行う端末側通信部と、災害発生の有無／災害状況を検出する端末側災害検出部と、各種処理を実行する端末側処理部とを備え、
前記端末側処理部は、前記端末側災害検出部が災害発生を検出したときに前記サーバーに災害発生の通知をするように処理し、
前記サーバー側処理部は、前記通知を受けたとき、あるいは、前記サーバー側災害検出部が災害発生を検出したときに、各端末装置に災害状況の送信を要求し、
前記端末側処理部は、その要求に応答して、前記災害検出部が検出した災害状況を前記サーバーに送信処理する
ことを特徴とする通信システムを提供する。
【発明の効果】
【００１２】
この発明は、第１の観点の通信システムにおいて、いずれかの端末装置の端末側災害検出部が災害発生／災害状況を検出したときに端末側処理部がサーバーに災害発生の通知をするように処理する。そして、その通知をサーバーが受けたときにサーバー側処理部が各端末装置に災害状況の送信を要求する。次いで、その要求に応答して、端末側災害検出部が検出した災害状況を端末側処理部がサーバーに送信処理する。従って、災害発生時に広範囲における正確な被害状況の収集が可能になる。
【００１３】
この発明は、第２の観点の端末装置において、端末側災害検出部が災害発生／災害状況を検出したときに、端末側処理部がサーバーに災害発生の通知をするように処理する。そそして、サーバーと通信可能な複数の端末装置の１つから災害発生の通知を受けたサーバーが各端末装置に災害状況の送信を要求する。次いで、その要求に応答して、端末側災害検出部が検出した災害状況を端末側処理部がサーバーに送信処理する。従って、災害発生時に広範囲における正確な被害状況の収集が可能になる。
【００１４】
この発明は、第３の観点の通信システムにおいて、サーバー側災害検出部が災害の発生／災害状況を検出したときにサーバー側処理部が各端末装置に災害状況の送信を要求する。そして、その要求に応答して、端末側災害検出部が検出した災害状況を端末側処理部がサーバーに送信処理する。従って、災害発生時に広範囲における正確な被害状況の収集が可能になる。
【００１５】
この発明は、第４の観点の通信システムにおいて、端末側災害検出部が災害発生／災害状況を検出したときに端末側処理部がサーバーに災害発生の通知をするように処理する。また、サーバー側処理部は、その通知を受けたとき、あるいは、サーバー側災害検出部が災害発生を検出したときに、各端末装置に災害状況の送信を要求する。そして、その要求に応答して、端末側災害検出部が検出した災害状況を端末側処理部が前記サーバーに送信処理する。従って、災害発生時に広範囲における正確な被害状況の収集が可能になる。
【図面の簡単な説明】
【００１６】
【図１】この発明の実施の形態１〜３における端末装置の構成を示すブロック図である。
【図２】この発明の実施の形態１〜３におけるサーバーの構成を示すブロック図である。
【図３ａ】この発明の実施の形態１の通信システムにおける端末装置の処理内容を説明するフローチャートである。
【図３ｂ】この発明の実施の形態１の通信システムにおけるサーバーの処理内容を説明するフローチャートである。
【図４ａ】この発明の実施の形態２の通信システムにおける端末装置の処理内容を説明するフローチャートである。
【図４ｂ】この発明の実施の形態２の通信システムにおけるサーバーの処理内容を説明するフローチャートである。
【図５ａ】この発明の実施の形態３の通信システムにおける端末装置の処理内容を説明するフローチャートである。
【図５ｂ】この発明の実施の形態３の通信システムにおけるサーバーの処理内容を説明するフローチャートである。
【図６】この発明の実施の形態１〜３の通信システムにおける各端末装置の製造番号、設置場所などの設置情報や、応答有無、センサー状況などの受信情報を示す表である。
【図７】この発明の実施の形態１〜３の通信システムにおけるサーバーによって表示された災害マップの一例を示す図である。
【発明を実施するための形態】
【００１７】
以下、図面を用いてこの発明をさらに詳述する。なお、以下の説明は、すべての点で例示であって、この発明を限定するものと解されるべきではない。
【００１８】
実施の形態１（上記第１の観点の通信システムおよび上記第２の観点の端末装置に係るもの）
この発明の実施の形態１の通信システムは、図１、図２、図３ａおよび図３ｂに示されたように、サーバーおよびそのサーバーと通信可能な複数の端末装置から少なくとも構成されている。この実施の形態１の通信システムは、端末装置側に設けられて災害発生の有無／災害状況を検出する端末装置側災害検出部をサーバーへの状況の送信のトリガーとするものである。
【００１９】
わが国では現在、コンビニエンスストアが広範囲に点在し、その多くの店舗に端末装置１０としての複合機やＰＯＳ端末機が設置されている。そして、複合機により、印刷する情報（例えば住民票、楽譜など）を受信し、写真印刷時に集金した売上げを送信し、あるいはＰＯＳ端末機により、店舗での売上げを親会社へ送信するために、端末装置１０がインターネット回線あるいは専用回線を介してサーバー５０に接続されている。図１および図３ａに示される端末装置１０は、このような複合機やＰＯＳ端末機であってもよい。
【００２０】
図１に示されたように、この発明の実施の形態１における端末装置１０には、外部のサーバー５０と通信を行う端末側通信部１１と、災害発生の有無／災害状況を検出する端末側災害検出部１２と、各種処理を実行する端末側処理部１３と、原稿画像を入力するスキャナー部１４と、画像を用紙に印刷する印刷部１５と、ユーザに対して情報を提供する表示部１６と、ユーザからの入力を受ける入力部１７とが備わっている。
【００２１】
端末側災害検出部１２は、火災の発生を検出するために端末装置１０の周囲の温度を検出する温度センサー１８と、地震の発生を検出するために端末装置１０の振動を検出する振動センサー１９と、デジタル放送データなどから災害緊急放送を受信する放送受信部２０とから構成されている。端末側災害検出部１２は、変形例として、温度センサー１８、振動センサー１９および放送受信部２０の少なくともいずれかを備えてもよい。また、端末装置１０には、図１に示さないが、端末装置の電源を遮断する電源遮断部をさらに備えていてもよい。この電源遮断部は、温度センサー１８が予め定められた閾値を超えた周囲温度を検出したことにより災害発生を検出したときに、端末側処理部１３がその端末装置１０の電源を遮断するためのものである。
【００２２】
図２に示されたように、サーバー５０には、各端末装置１０と通信を行うサーバー側通信部５１と、災害発生の有無／災害状況を検出するサーバー側災害検出部５２と、各種処理を実行するサーバー側処理部５３と、タイムアップまでの時間を計時するタイマー５４と、各種情報を記憶する記憶部５５とが備わっている。
【００２３】
サーバー側災害検出部５２は、地震の発生を検出するためにサーバー５０の振動を検出する振動センサー５６と、デジタル放送データなどから災害緊急放送を受信する放送受信部５７とから構成されている。サーバー側処理部５３は、各端末装置１０から受信した端末受信情報を端末装置１０の位置にプロットして災害マップを作成するマップ作成部分５８を備えている。記憶部５５には、接続されている各端末装置１０への接続のためのアドレスなどの設置情報を記憶する端末設置情報記憶領域５９と、各端末装置１０から受信した情報を記憶する端末受信情報記憶領域６０とが設けられている。
【００２４】
サーバー側処理部５３におけるマップ作成部分５８は、図６に示されたような、記憶部５５の端末設置情報記憶領域５９に記憶されている各端末装置１０の各種情報（機種、製造番号、場所、通信経路）と、端末受信情報記憶領域６０に記憶されている各種情報（応答有無、センサー状況、稼働状況、売上げ）とに基づいて、図７のような、サーバー５０と複数の端末装置（Ｎｏ．１〜１２０９など）との通信状況などを示す災害マップを作成するものである。
【００２５】
このような災害マップは、サーバー５０におけるマップ表示部（図示略）に表示することができる。このような災害マップを表示したときには、複数のコンビニエンスストアが特定地域（例えば近畿地方の基幹Ａ、ＢおよびＣの周辺地域）に密集している場合に、災害の発生によりその地域全体の通信を行うことができないのか、その地域の一部（例えば基幹Ｃの周辺地域）だけが通信を行うことができないのかを災害マップによって視覚的に推定することができる。従って、サーバー５０は、災害の発生時にその地域の通信回線の状況を推測することができる。
【００２６】
以下、実施の形態１の通信システムにおける各端末装置１０およびサーバー５０の処理内容を、図１、図２、図３ａおよび図３ｂに基づいて説明する。
【００２７】
図３ａにおいて、コンビニエンスストアに設置されてサーバー５０と通信可能な端末装置１０がサーバー５０からの送信要求を受信すると（Ｓ１でＹｅｓ）、端末装置１０はサーバー５０にその時点での店舗の状況を送信する（Ｓ２）。その状況の内容は、振動センサー１９が検出した端末装置１０の振動、温度センサー１８が検出した端末装置１０の周囲の温度、店舗の売上げ、在庫などである。
【００２８】
一方、サーバー５０からの送信要求がないときには（Ｓ１でＮｏ）、温度センサー１８が所定以上の温度を検出すると（Ｓ３でＹｅｓ）、端末装置１０はサーバー５０にその時点での店舗の状況を送信する（Ｓ４）。ここで、所定以上の温度を検出したということは、そのコンビニエンスストアのある箇所に火災が発生しているおそれがあることを意味している。従って、端末装置１０が新たな出火の原因にならないように、端末側処理部１３は、サーバー５０に状況を送信した後に上記電源遮断部を用いて端末装置１０の電源を遮断するなどして、処理を終了させる（ＥＮＤ）。
【００２９】
そして、温度センサー１８が所定以上の温度を検出しないとき（Ｓ３でＮｏ）であっても、振動センサー１９が所定以上の揺れを検出すると（Ｓ５でＹｅｓ）、そのコンビニエンスストアの周辺で地震が発生したおそれがある。このため、端末装置１０はサーバー５０にその時点での店舗の状況を送信する（Ｓ２）。
【００３０】
振動センサー１９が所定以上の揺れを検出しないとき（Ｓ５でＮｏ）であっても、放送受信部２０がデジタル放送データなどから何らかの災害に関する災害緊急放送を受信すると（Ｓ６でＹｅｓ）、端末装置１０はサーバー５０にその時点での店舗の状況を送信する（Ｓ２）。
【００３１】
放送受信部２０が災害緊急放送を受信しないときには（Ｓ６でＮｏ）、災害の発生がないものと端末側処理部１３が判断する。そして、所定の売上げ送信時刻になると（Ｓ７でＹｅｓ）、端末装置１０の端末側通信部１１が、サーバー５０にその時点での売上げを送信する（Ｓ８）。
【００３２】
図３ｂにおいて、１つの端末装置１０からサーバー５０への上記のＳ２またはＳ４のような状況送信をサーバー５０のサーバー側通信部５１が受信すると（Ｓ９でＹｅｓ）、サーバー側処理部５３は、記憶部５５の端末設置情報記憶領域５９に記憶された各端末装置１０に対して状況送信を要求する（Ｓ１０）。これは、上記Ｓ９で状況を受信した端末装置１０以外の端末装置１０から状況を受信するためであり、また、災害により端末装置１０が送信できない状態にあるか、または通信回線が途中で切断されている場合には、その端末装置１０からの状況を受信することができないので、サーバー５０から状況送信を要求し、応答がない端末装置１０を特定するためである。
【００３３】
そして、サーバー５０は、端末装置１０からの状況を受信すると（Ｓ１１でＹｅｓ）、端末装置１０から受信した状況を記憶部５５の端末受信情報記憶領域６０に記憶する（Ｓ１２）。
【００３４】
サーバー５０が端末装置１０からの状況を受信しないときには（Ｓ１１でＮｏ）、タイマー５４によって所定のタイムアップまでの時間を計時する。これは、特定の端末装置１０あるいは通信回線に異常がある場合にはいつまで待っても応答はないので、タイマー５４により状況送信要求からの待機時間を限定するためである。そして、タイムアップになったときには（Ｓ１３でＹｅｓ）、サーバー５０が各端末装置１０からの状況を集計する（Ｓ１４）。
【００３５】
サーバー５０が端末装置１０からの上記のＳ２またはＳ４のような状況送信を受信しないときには（Ｓ９でＮｏ）、サーバー５０は、端末装置１０から売上げを受信すると（Ｓ１５でＹｅｓ）、その売上げを記憶部５５の端末受信情報記憶領域６０に記憶する（Ｓ１６）。一方、サーバー５０が端末装置１０から売上げを受信しないときには（Ｓ１５でＮｏ）、Ｓ９に戻る。
【００３６】
実施の形態２（上記第３の観点の通信システムに係るもの）
この発明の実施の形態２の通信システムは、図１、図２、図４ａおよび図４ｂに示されたように、サーバーおよびそのサーバーと通信可能な複数の端末装置から少なくとも構成されている。この実施の形態２の通信システムは、サーバー側に設けられて災害発生の有無／災害状況を検出するサーバー側災害検出部を端末装置への状況の送信のトリガーとするものである。
【００３７】
実施の形態２の通信システムにおける各端末装置１０およびサーバー５０の構成は、実施の形態１の通信システムのそれらと同一である。
【００３８】
以下、各端末装置１０およびサーバー５０の処理内容を、図１、図２、図４ａおよび図４ｂに基づいて説明する。
【００３９】
サーバー側災害検出部５２の振動センサー５６が所定以上の揺れを検出したときには（図４ｂのＳ２１でＹｅｓ）、そのサーバー５０の周辺で地震が発生したおそれがある。このため、サーバー５０は、コンビニエンスストアに設置された各端末装置１０に対して、その時点での店舗の状況を送信するように要求する（Ｓ２２）。
【００４０】
このようなサーバー５０からの状況送信の要求を端末装置１０の端末側通信部１１が受信すると（図４ａのＳ２３でＹｅｓ）、端末装置１０はサーバー５０にその時点での店舗の状況（振動、周囲の温度、店舗の売上げ、在庫など）を送信する（Ｓ２４）。
【００４１】
サーバー５０からの状況送信の要求を端末装置１０の端末側通信部１１が受信しないときには（Ｓ２３でＮｏ）、所定の売上げ送信時刻になると（Ｓ２５でＹｅｓ）、端末装置１０の端末側通信部１１が、サーバー５０にその時点での売上げを送信する（Ｓ２６）。
【００４２】
次いで、図４ｂにおいて、サーバー５０は、端末装置１０からの状況を受信すると（Ｓ２７でＹｅｓ）、端末装置１０から受信した状況を記憶部５５の端末受信情報記憶領域６０に記憶する（Ｓ２８）。
【００４３】
サーバー５０が端末装置１０からの状況を受信しないときには（Ｓ２７でＮｏ）、タイマー５４によって所定のタイムアップまでの時間を計時する。これは、特定の端末装置１０あるいは通信回線に異常がある場合にはいつまで待っても応答はないので、タイマー５４により状況送信要求からの待機時間を限定するためである。
【００４４】
そして、タイムアップになったときには（Ｓ２９でＹｅｓ）、サーバー５０が各端末装置１０からの状況を集計する（Ｓ３０）。
【００４５】
サーバー５０の振動センサー５６が所定以上の揺れを検出しないとき（Ｓ２１でＮｏ）であっても、放送受信部５７がデジタル放送データなどから何らかの災害に関する災害緊急放送を受信すると（Ｓ３０でＹｅｓ）、サーバー５０は各端末装置１０に対してその時点での店舗の状況を送信するように要求する（Ｓ２２）。
【００４６】
一方、放送受信部５７が災害緊急放送を受信しないときには（Ｓ３０でＮｏ）、災害の発生がないものと端末側処理部５３が判断する。そして、端末装置１０は、所定の売上げ送信時刻になると、端末側通信部１１がサーバー５０にその時点での売上げを送信する（Ｓ２６）。
【００４７】
その後、サーバー側通信部５１が端末装置１０からの売上げを受信すると（Ｓ３１でＹｅｓ）、サーバー５０は、受信した売上げを記憶部５５の端末受信情報記憶領域６０に記憶する（Ｓ３２）。サーバー５０が端末装置１０から売上げを受信しないときには（Ｓ３１でＮｏ）、Ｓ２１に戻る。
【００４８】
実施の形態３（上記第４の観点の通信システムに係るもの）
この発明の実施の形態３の通信システムは、図１、図２、図５ａおよび図５ｂに示されたように、サーバーおよびそのサーバーと通信可能な複数の端末装置から少なくとも構成されている。実施の形態３の通信システムは、端末装置側およびサーバー側にそれぞれ設けられて災害発生の有無／災害状況を検出する災害検出部をサーバーへの状況送信あるいは端末装置への状況送信要求のトリガーとするものである。
【００４９】
実施の形態３の通信システムにおける各端末装置１０およびサーバー５０の構成は、実施の形態１の通信システムのそれらと同一である。
【００５０】
以下、各端末装置１０およびサーバー５０の処理内容を、図１、図２、図５ａおよび図５ｂに基づいて説明する。
【００５１】
図５ａにおいて、コンビニエンスストアに設置された端末装置１０がサーバー５０からの送信要求を受信すると（Ｓ５１でＹｅｓ）、端末装置１０はサーバー５０にその時点での店舗の状況を送信する（Ｓ５２）。その状況の内容は、振動センサー１９が検出した端末装置１０の振動、温度センサー１８が検出した端末装置１０の周囲の温度などである。
【００５２】
一方、サーバー５０からの送信要求がないときには（Ｓ５１でＮｏ）、温度センサー１８が所定以上の温度を検出すると（Ｓ５３でＹｅｓ）、端末装置１０はサーバー５０にその時点での店舗の状況を送信する（Ｓ５４）。ここで、所定以上の温度を検出したということはそのコンビニエンスストアのある箇所に火災が発生しているおそれがあることを意味している。従って、端末装置１０が新たな出火の原因にならないように、端末側処理部１３は、サーバー５０に状況を送信した後に上記電源遮断部を用いて端末装置１０の電源を遮断するなどして、処理を終了させる（ＥＮＤ）。
【００５３】
これに対して、温度センサー１８が所定以上の温度を検出しないとき（Ｓ５３でＮｏ）であっても、振動センサー１９が所定以上の揺れを検出すると（Ｓ５５でＹｅｓ）、そのコンビニエンスストアの周辺で地震が発生したおそれがある。このため、端末装置１０はサーバー５０にその時点での店舗の状況を送信する（Ｓ５２）。
【００５４】
振動センサー１９が所定以上の揺れを検出しないとき（Ｓ５５でＮｏ）であっても、放送受信部２０がデジタル放送データなどから何らかの災害に関する災害緊急放送を受信すると（Ｓ５６でＹｅｓ）、端末装置１０はサーバー５０にその時点での店舗の状況を送信する（Ｓ５２）。
【００５５】
放送受信部２０が災害緊急放送を受信しないときには（Ｓ５６でＮｏ）、災害の発生がないものと端末側処理部１３が判断する。
【００５６】
図５ｂにおいて、サーバー側災害検出部５２の振動センサー５６が所定以上の揺れを検出したときには（Ｓ５７でＹｅｓ）、そのサーバー５０の周辺で地震が発生したおそれがある。このため、サーバー５０は、コンビニエンスストアに設置された各端末装置１０に対して、その時点での店舗の状況を送信するように要求する（Ｓ５８）。
【００５７】
このようなサーバー５０からの状況送信の要求を端末装置１０の端末側通信部１１が受信すると（図５ａのＳ５９でＹｅｓ）、端末装置１０はサーバー５０にその時点での店舗の状況（振動、周囲の温度など）を送信する（Ｓ５２）。
【００５８】
サーバー５０からの状況送信の要求を端末装置１０の端末側通信部１１が受信しないときには（Ｓ５９でＮｏ）、所定の売上げ送信時刻になると（Ｓ６０でＹｅｓ）、端末装置１０の端末側通信部１１が、サーバー５０にその時点での売上げを送信する（Ｓ６１）。
【００５９】
図５ｂにおいて、サーバー５０は、端末装置１０からの状況を受信すると（Ｓ６２でＹｅｓ）、端末装置１０から受信した状況を記憶部５５の端末受信情報記憶領域６０に記憶する（Ｓ６３）。
【００６０】
サーバー５０が端末装置１０からの状況を受信しないときには（Ｓ６２でＮｏ）、タイマー５４によって所定のタイムアップまでの時間を計時する。これは、特定の端末装置１０あるいは通信回線に異常がある場合には、いつまで待っても応答はないので、タイマー５４により状況送信要求からの待機時間を限定するためである。
【００６１】
そして、タイムアップになったときには（Ｓ６４でＹｅｓ）、サーバー５０は各端末装置１０からの状況を集計する（Ｓ６５）。
【００６２】
サーバー５０の振動センサー５６が所定以上の揺れを検出しないとき（Ｓ５７でＮｏ）であっても、放送受信部５７がデジタル放送データなどから何らかの災害に関する災害緊急放送を受信すると（Ｓ６６でＹｅｓ）、サーバー５０は各端末装置１０に対してその時点での店舗の状況を送信するように要求する（Ｓ５８）。
【００６３】
一方、放送受信部５７が災害緊急放送を受信することなく（Ｓ６６でＮｏ）、サーバー５０が端末装置１０からの状況を受信しないときには（Ｓ６７でＮｏ）、端末側処理部５３は災害の発生がないものと判断する。
【００６４】
そして、端末装置１０側で所定の売上げ送信時刻になると（Ｓ６０でＹｅｓ）、端末装置１０の端末側通信部１１がサーバー５０にその時点での売上げを送信する（Ｓ６１）。
【００６５】
サーバー側通信部５１がその売上げを受信すると（Ｓ６８でＹｅｓ）、サーバー５０は、受信した売上げを記憶部５５の端末受信情報記憶領域６０に記憶する（Ｓ６９）。サーバー５０が端末装置１０から売上げを受信しないときには（Ｓ６８でＮｏ）、Ｓ５７に戻る。
【００６６】
以上に述べたように、
（１）この発明による第１の観点の通信システムは、サーバーおよびそのサーバーと通信可能な複数の端末装置から少なくとも構成され、各端末装置は、サーバーと通信を行う端末側通信部と、災害発生の有無／災害状況を検出する端末側災害検出部と、各種処理を実行する端末側処理部とを備え、サーバーは、各端末装置と通信を行うサーバー側通信部と、各種処理を実行するサーバー側処理部とを備え、端末側処理部は、端末側災害検出部が災害発生を検出したときにサーバーに災害発生の通知をするように処理し、サーバー側処理部は、その通知をサーバーが受けたときに各端末装置に災害状況の送信を要求し、端末側処理部は、その要求に応答して、端末側災害検出部が検出した災害状況をサーバーに送信処理することを特徴とする。
【００６７】
この第１の観点の通信システムは、サーバーおよびそのサーバーと通信可能な複数の端末装置から構成されている。端末装置は、その端末側災害検出部が災害発生を検出したときにサーバーに災害発生の通知をする。端末装置の具体的態様は例えば、コンビニエンスストアに設置されている複合機やＰＯＳ端末機である。サーバーは、端末装置による上記災害発生の通知を受けると、各端末装置に災害状況の送信を要求する。そして、各端末装置は、サーバーによる上記要求に応答して、その端末側災害検出部が検出した災害状況をサーバーに送信処理する。従って、このような通信システムによれば、端末装置側に設けられて災害発生の有無／災害状況を検出する端末装置側災害検出部がサーバーへの災害状況の送信のトリガーになるので、災害発生時に広範囲における正確な被害状況の収集が可能になる。
【００６８】
次に、このような通信システムの好ましい態様について説明する。
（２）ここで、サーバーは、各端末装置の少なくとも設置情報を記憶する記憶部と、各端末装置から受信した災害状況を各端末装置の設置情報と関連付けて災害マップとして作成するマップ作成部とをさらに備えていてもよい。その場合には、複数の端末装置からの受信情報を災害マップ上にプロットすることにより、火災や地震の発生位置、通信回線の切断箇所などを容易に推測することが可能となる。ここで、各端末装置の設置情報としては、機種、製造番号、場所、通信経路などが挙げられる。マップ作成部は例えば、サーバー側処理部の一部にマップ作成部分として設けることができる。
【００６９】
（３）ここで、端末側災害検出部は例えば図１に示されたようなものが挙げられる。しかし、端末側災害検出部は、そのようなものに限られず、端末装置の周囲温度を検出する温度センサー、端末装置の振動を検出する振動センサー、災害緊急放送を受信する放送受信部の少なくともいずれかを有するものであればよい。このような端末側災害検出部によって、端末装置の周辺における火災や地震などの災害を容易に検出することができる。
【００７０】
（４）このような通信システムは、端末装置の電源を遮断する電源遮断部をさらに備え、端末側処理部は、上記温度センサーが予め定められた閾値を超えた周囲温度を検出したことにより災害発生を検出したときに、上記電源遮断部を用いてその端末装置の電源を遮断するように構成されていてもよい。このように構成されている場合には、災害発生時に端末装置が新たな出火の原因にならないように、その端末装置の電源を遮断することができる。
【００７１】
（５）この発明による第２の観点の端末装置は、外部のサーバーと通信を行う端末側通信部と、災害発生の有無／災害状況を検出する端末側災害検出部と、各種処理を実行する端末側処理部とを備え、端末側処理部は、端末側災害検出部が災害発生を検出したときに、サーバーに災害発生の通知をするように処理するとともに、サーバーと通信可能な複数の端末装置の１つから災害発生の通知を受けたサーバーが各端末装置に災害状況の送信を要求したときに、その要求に応答して、端末側災害検出部が検出した災害状況をサーバーに送信処理することを特徴とする。
【００７２】
この第２の観点の端末装置は、外部のサーバーと通信を行うものであり、その端末側災害検出部が災害発生を検出したときに、サーバーに災害発生の通知をする。そして、複数の端末装置の１つから災害発生の通知を受けたサーバーが各端末装置に災害状況の送信を要求したときに、各端末装置は、その要求に応答して、端末側災害検出部が検出した災害状況をサーバーに送信処理する。従って、このような端末装置によれば、端末装置側に設けられて災害発生の有無／災害状況を検出する端末装置側災害検出部がサーバーへの災害状況の送信のトリガーになるので、災害発生時に広範囲における正確な被害状況の収集が可能になる。
【００７３】
（６）ここで、端末側災害検出部は例えば図１に示されたようなものが挙げられる。しかし、端末側災害検出部は、そのようなものに限られず、端末装置の周囲温度を検出する温度センサー、端末装置の振動を検出する振動センサー、災害緊急放送を受信する放送受信部の少なくともいずれかを有するものであればよい。このような端末側災害検出部によって、端末装置の周辺における火災や地震などの災害を容易に検出することができる。
【００７４】
（７）この発明による第３の観点の通信システムは、サーバーおよびそのサーバーと通信可能な複数の端末装置から少なくとも構成され、サーバーは、各端末装置と通信を行うサーバー側通信部と、災害発生の有無／災害状況を検出するサーバー側災害検出部と、各種処理を実行するサーバー側処理部とを備え、各端末装置は、サーバーと通信を行う端末側通信部と、災害発生の有無／災害状況を検出する端末側災害検出部と、各種処理を実行する端末側処理部とを備え、サーバー側処理部は、サーバー側災害検出部が災害の発生を検出したときに各端末装置に災害状況の送信を要求し、端末側処理部は、その要求に応答して、災害検出部が検出した災害状況をサーバーに送信処理することを特徴とする。
【００７５】
この第３の観点の通信システムは、サーバー側災害検出部が災害の発生／災害状況を検出したときにサーバー側処理部が各端末装置に災害状況の送信を要求する。そして、その要求に応答して、端末側災害検出部が検出した災害状況を端末側処理部がサーバーに送信処理する。従って、サーバー側に設けられて災害発生の有無／災害状況を検出するサーバー側災害検出部が各端末装置への災害状況送信要求のトリガーになるので、災害発生時に広範囲における正確な被害状況の収集が可能になる。
【００７６】
（８）ここで、サーバーは、各端末装置の少なくとも設置情報を記憶する記憶部と、各端末装置から受信した災害状況を各端末装置の設置情報と関連付けて災害マップとして作成するマップ作成部とをさらに備えていてもよい。その場合には、複数の端末装置からの受信情報を災害マップ上にプロットすることにより、火災や地震の発生位置、通信回線の切断箇所などを容易に推測することが可能となる。ここで、各端末装置の設置情報としては、機種、製造番号、場所、通信経路などが挙げられる。マップ作成部は例えば、サーバー側処理部の一部にマップ作成部分として設けることができる。
【００７７】
（９）第３の観点の通信システムにおいて、サーバー側災害検出部は例えば図２に示されたようなものが挙げられる。しかし、端末側災害検出部は、そのようなものに限られずサーバーの周囲温度を検出する温度センサー、サーバーの振動を検出する振動センサー、災害緊急放送を受信する放送受信部の少なくともいずれかを有するものであればよい。このようなサーバー側災害検出部によって、サーバーの周辺における火災や地震などの災害を容易に検出することができる。
【００７８】
（１０）この発明による第４の観点の通信システムは、サーバーおよびそのサーバーと通信可能な複数の端末装置から少なくとも構成され、サーバーは、各端末装置と通信を行うサーバー側通信部と、災害発生の有無／災害状況を検出するサーバー側災害検出部と、各種処理を実行するサーバー側処理部とを備え、各端末装置は、サーバーと通信を行う端末側通信部と、災害発生の有無／災害状況を検出する端末側災害検出部と、各種処理を実行する端末側処理部とを備え、端末側処理部は、端末側災害検出部が災害発生を検出したときにサーバーに災害発生の通知をするように処理し、サーバー側処理部は、その通知を受けたとき、あるいは、サーバー側災害検出部が災害発生を検出したときに、各端末装置に災害状況の送信を要求し、端末側処理部は、その要求に応答して、災害検出部が検出した災害状況をサーバーに送信処理することを特徴とする。
【００７９】
この第４の観点の通信システムは、端末側災害検出部が災害発生／災害状況を検出したときに端末側処理部がサーバーに災害発生の通知をするように処理する。また、サーバー側処理部は、その通知を受けたとき、あるいは、サーバー側災害検出部が災害発生を検出したときに、各端末装置に災害状況の送信を要求する。そして、その要求に応答して、端末側災害検出部が検出した災害状況を端末側処理部がサーバーに送信処理する。従って、端末装置側およびサーバー側にそれぞれ設けられて災害発生の有無／災害状況を検出する災害検出部がサーバーへの災害状況送信あるいは端末装置への災害状況送信要求のトリガーになるので、災害発生時に広範囲における正確な被害状況の収集が可能になる。
【００８０】
この発明の好ましい態様には、上述した複数の態様のうちのいずれかを組み合わせたものも含まれる。
【００８１】
上述した実施の形態の他にも、この発明について種々の変形例があり得る。それらの変形例は、この発明の範囲に属さないと解されるべきではない。この発明には、特許請求の範囲と均等の意味での、また上記範囲内でのすべての変形が含まれるべきである。
【符号の説明】
【００８２】
１０：  端末装置
１１：  通信部
１２：  災害検出部
１３：  処理部
１４：  スキャナー部
１５：  印刷部
１６：  表示部
１７：  入力部
１８：  温度センサー
１９：  振動センサー
２０：  放送受信部
５０：  サーバー
５１：  通信部
５２：  災害検出部
５３：  処理部
５４：  タイマー
５５：  記憶部
５６：  振動センサー
５７：  放送受信部
５８：  マップ作成部分
５９：  端末設置情報記憶領域
６０：  端末受信情報記憶領域
【図１】
2015135554.tif 000003
【図２】
2015135554.tif 000004
【図３ａ】
2015135554.tif 000005
【図３ｂ】
2015135554.tif 000006
【図４ａ】
2015135554.tif 000007
【図４ｂ】
2015135554.tif 000008
【図５ａ】
2015135554.tif 000009
【図５ｂ】
2015135554.tif 000010
【図６】
2015135554.tif 000011
【図７】
2015135554.tif 000012